(57)【特許請求の範囲】
【請求項１】
スロープ３の２つの側面５の各々が上がり框２及び壁１２に接する、上がり框２に横付けされた状況のスロープ３を設け、スロープ３と着脱スペース１０を玄関側壁９の陰に隠蔽することで玄関１の外観を良好なものにするとともに、生活弱者のプライバシー保護を図ることを特徴とする居住空間。
【請求項２】
スロープ３の２つの側面５の各々が上がり框２及び壁１２に接する、上がり框２に横付けされた状況のスロープ３を設け、スロープ３と着脱スペース１０を玄関側壁９の陰に隠蔽することで玄関１の外観を良好なものにし、生活弱者のプライバシー保護を図るとともに、玄関側壁９と壁１２を２面とする居住空間１３を設け、居住空間１３を玄関１周辺に設けたことで外界との往来を容易なものにした生活弱者のための居住空間。
【発明の詳細な説明】
【０００１】
【発明の属する技術分野】
この発明は高齢者や障害者等の生活弱者に提供する居住空間に関するものである。
【０００２】
【従来の技術】
玄関１には上がり框２が設置されており、これを越えることで住居内への移動が行われる。この上がり框２による段差の障害を解消する手段としては図１に示す様なスロープ３を設けることが考慮できる。スロープ３は傾斜面４、側面５、背面６及び底面７から成る斜面体であり、背面６は上がり框２と接し、又、底面７は玄関床８と接する状況で構成されている。これにより高齢者等の生活弱者はこのスロープ３を利用することで外界と住居内を支障なく往来することが可能になる。
【０００３】
【発明が解決しようとする課題】
図１に示すスロープ３は上がり框２の手前に位置しているため、図示の様にスロープ３を玄関側壁９に寄せたとしても外観上目障り感がある。又、スロープ３を外来者の目に触れ易い玄関１に配置することは、生活弱者の見地からはコンプレックスを抱かせるものである。次に、履物の着脱スペース１０、つまり、靴を履いたり脱いだりする場所に関して記すことにする。本来の着脱スペース１０は上がり框２周辺になるが、スロープ３を設けることにより玄関ドア１１周辺の着脱スペース１０が加わることになる。つまり、玄関床８の２箇所で履物がはびこることになるため外観上体裁が良くない。この様にスロープ３を設けることによる長所と短所が混在することになるが、スロープ３の機能を活かす一方、外観上の不具合を解消しつつ生活弱者のプライバシー保護を図っていくことが重要である。なお、スロープ３を設けることで外界と住居内の往来は円滑なものになるが、住居内での移動においては生活弱者の見地から支障を来す場合が考慮できる。昨今は住居内のバリアフリー化が定着しているが、実際には住宅事情の悪さのために狭い住居内での移動は困難性を伴うことがある。又、狭い住居内に加えて家財や生活物資が豊富であるため、これらが障害物となり生活弱者の行動の阻止や制約、接触による損傷や転倒等の懸念事項が生じることになる。この問題を解消していくことも重要な課題である。
【０００４】
【課題を解決するための手段】
スロープ３の２つの側面５の各々が上がり框２及び壁１２に接する、上がり框２に横付けされた状況のスロープ３を設ける。又、玄関側壁９と壁１２を２面とする居住空間１３を設ける様にする。
【０００５】
【発明の実施の形態】
住居内のバリアフリー化が定着する中で、玄関１の上がり框２は依然として段差を生じる状況にある。これは玄関床８に対して段差を設けることで浸水や湿気、塵の侵入等の懸念事項を解消できるためである。しかし、上がり框２による段差は生活弱者の障害となることがあるため、障害解消の手段の一つにスロープ３を設けるというものがある。図１においてはスロープ３を玄関側壁９に寄せて配置しているが、従来の玄関側壁９と上がり框２の位置関係から必然的にこの様な配置になったものである。これに対して図２においては玄関側壁９と上がり框２の位置関係に若干の相異を呈している。つまり、従来の様に玄関側壁９と上がり框２の直接的な接合ではなく、玄関側壁９と上がり框２の両者間に空間を設定し、その空間にスロープ３を介する様にしたものである。このスロープ３は２つの側面５の各々が上がり框２と新たに設けた壁１２に接する、上がり框２に横付けされた状況にあることになる。又、スロープ３を利用する際に使われる着脱スペース１０も玄関側壁９と上がり框２の両者間の空間に設けている。この構成によりスロープ３と履物を有する着脱スペース１０を玄関側壁９の陰に隠蔽するために外観が良くなり、又、外来者の目を意識することが緩和されることになる。
又、図２においては玄関側壁９と壁１２を２面とする空間を居住空間１３に活用している。昨今の住居内のバリアフリー化やエレベーターの設置等で住居内での移動は容易になってきている。しかし、住宅事情により住宅容積を高めることは困難であり、依然として狭い住居内での移動を強いられる状況にある。又、家財や生活物資は障害物になり得るために、生活弱者の行動は制約を被り易く、危険を伴うことも想定できることになる。つまり、生活弱者のための居住空間を考慮した場合、図２に示す様に玄関１周辺に居住空間１３を設けることも選択肢の１つである。例えば生活弱者が外界から帰宅した場合は、玄関ドア１１から玄関床８を経て着脱スペース１０で靴を脱ぎ、スロープ３を昇り躍り場１４を経て引戸１５より居住空間１３内の床１６に至るプロセスをたどることになる。同様に居住空間１３から外出する場合はこれの逆のプロセスをたどることになる。つまり、生活弱者は居住空間１３を主とする生活を営み、暫時的に外界の自然との触れ合いや人との親睦等を楽しむ、この両者の生活パターンを容易に行うことが可能になる。又、介護人が外界との往来を援護する際にも便利であり、特に緊急非難時にはこれを敏速に行える点で期待度は大きいものになる。なお、１７は昇降を安全に行うための手すりである。
【０００６】
【実施例】
図２における引戸１５は開閉ドアの様に躍り場１４や床１６を占有することもなく重宝するが、躍り場１４と床１６の境界をバリアフリーにするため、引戸１５は上吊り式の他、戸車式においては段差のない専用敷居を設けることが適当である。又、図２においては着脱スペース１０脇の壁１２に埋め込む様に造作したシューズ収納１８を設けている。なお、玄関１に常設される玄関収納は本発明の構成の制約を受けない玄関側壁９の対面側壁に沿って配置を行う。
又、図３に示すものは居住空間１３の構成を変えたものである。図３においては居住空間１３内に床１９を設けているが、床１９の面は玄関床８の面と高さを同等にしたものである。又、居住空間１３内に段差２０を設けるが、段差２０の上面は上がり框２の上面と高さを同等にしたものである。上がり框２は住居内の高床を機能させる端部に過ぎないが、段差２０の場合は別の機能も装備することになる。例えば生活弱者が外界から帰宅した場合は、玄関ドア１１から玄関床８を経てドア２１を開け居住空間１３内の床１９に至り段差２０に腰を掛けるプロセスになる。つまり、段差２０は高床の端部として機能する他に椅子にもなり得るということになる。この機能は生活弱者の見地からは肉体的にも精神的にも重要なものになる。つまり、生活弱者が帰宅する時分は多分に疲労しているものであるが、この状況で上がり框２を越えて生活弱者の居住空間へ移動することは痛手なことである。上がり框２のみでも１つのハードルになるものであるが、同じ段差でも段差２０は逆にサポートグッズとして機能することになる。又、段差２０に腰を掛けた時点は既に彼らの居住空間１３内にいるということであるから、従来の居住空間の状況と比較すると心身的にも大きな安堵感をもたらすことになる。なお、段差２０から段差２０と同じ高さにある床１６への移動は比較的容易に行うことができる。つまり、段差２０に腰を掛けている状況から床１６へ移動する場合は、座っている状態から生活弱者の足を自力で床１６へ移動させれば完了となる。この様に生活弱者は容易に、又、エネルギーの消耗を抑えて床１６への移動が可能になるため、例えば帰宅後に居住空間１３内の床１６で落ち着いてくつろぐという１連の行動もスピーディーに行えることになる。又、床１６は図２に示す床１６と同じ状況にあるため、引戸１５を介しての住居内との往来は容易である。なお、図３においては段差２０をコ形状に組むことで、例えば生活弱者が多くの友人を招いた場合でも広範囲な段差２０に座らせることで対処できることになる。この場合には友人達は上がり框２を越えるという従来の様な必然性がなく、又、玄関１内が脱いだ履物で氾濫することもなくなるというメリットが期待できる。この様に図２と図３のものでは若干の相異を見い出せるが、玄関１の外観を良好なものにしている点は共通とするところである。つまり、図３においてはスロープ３の様な機能を持つ段差２０と着脱スペース１０の機能を持つ床１９は居住空間１３内に隠蔽されているため、図１に示す様にスロープ３や着脱スペース１０を露見させることはないことになる。なお、図３に示す２２はホール、２３はテーブル、２４は玄関収納である。
【０００７】
【発明の効果】
なお、従来の様に住居内に居住空間を設定する場合、その居住空間から直接的に外界へ通ずるスロープを設ける手段も考慮できるが、この場合は生活弱者の見地から施錠の点で課題を残すことになる。つまり、本発明のものは玄関ドア１１での施錠になるため、介護人の管理が行き届くことになる。
以上の様に、従来の生活弱者の居住空間は住居内にあったため、外界との往来の件及び、懸念事項の多い住居内の件で苦慮する状況にあるが、本発明により機能的にも外観的にも合理解決することが可能である。
【図面の簡単な説明】
【図１】従来の構成を示した、玄関１周辺の斜視図
【図２】本発明の構成を示した、玄関１周辺の斜視図
【図３】構成を変更した、玄関１周辺の間取り図
【符号の説明】
１  は玄関              ２  は上がり框      ３  はスロープ
４  は傾斜面            ５  は側面          ６  は背面
７  は底面              ８  は玄関床        ９  は玄関側壁
１０  は着脱スペース    １１  は玄関ドア    １２  は壁
１３  は居住空間        １４  は躍り場      １５  は引戸
１６  は床              １７  は手すり      １８  はシューズ収納
１９  は床              ２０  は段差        ２１  はドア
２２  はホール          ２３  はテーブル    ２４  は玄関収納
【図１】
0003774134.tif 000002
【図２】
0003774134.tif 000003
【図３】
0003774134.tif 000004